(57)【要約】      （修正有）【課題】野球、ソフトボールの捕球用具において、ピッチャーの集中力を高め、また捕球の際に落球のミスを軽減する捕球用具を提供する。【解決手段】捕球用具は、受球面を第１の受球面２、第２の受球面３の２層で構成され、第１の受球面と第２の受球面の間には空気層となる隙間５を形成することにより、捕球した際快音を発生させることが可能になる。【選択図】図３
2017140346.tif 000002
【特許請求の範囲】
【請求項１】
野球、ソフトボール用の捕球用具であって、前記捕球用具の受球面を前記捕球用具の前記受球面から垂直方向に複数層に形成し、それぞれの前記受球面と前記受球面との間には隙間を形成することを特徴とする。
【請求項２】
前記複数層の前記受球面を形成する前記捕球用具は、第１の受球面と第２の受球面を有し、前記第１の受球面と前記第２の受球面の間には空気層となる隙間を形成することを特徴とする請求項１に記載の捕球用具。
【請求項３】
前記第１の受球面の表面積は、第２の受球面の表面積と同等あるいは小さく形成することを特徴とする請求項１乃至請求項２に記載の捕球用具。
【発明の詳細な説明】
【技術分野】
【０００１】  本発明は、野球及びソフトボール用の捕球用具に関するものである。
【背景技術】
【０００２】  従来の野球及びソフトボール用の捕球用具は、捕球時に快い音を発するものがなかった。また、捕球時に捕球用具の受球面でうまく捕球できずに、落球することがあった。
【先行技術文献】
【特許文献】
【０００３】
【特許文献１】  特願２００３−１３２３７８号広報
【発明の概要】
【発明が解決しようとする課題】
【０００４】  特許文献１に記載のホームラン、ファールボールの捕球グローブは、観客席に飛んでくるホームランボール、ファールボールを捕球するものであった。【０００５】  本発明は、キャッチャーがピッチャーのボールを捕球する際に快音を発生させることで、ピッチャーの集中力を高めることと、あらゆる守備において捕球時に落球を防止できる捕球用具を提供する。
【課題を解決するための手段】
【０００６】  請求項１に記載の本発明は、野球、ソフトボール用の捕球用具であって、捕球用具の受球面を捕球用具の受球面から垂直方向に複数層に形成し、それぞれの受球面と受球面との間には隙間を形成することを特徴とする。【０００７】  請求項２に記載の本発明は、複数層の受球面を形成する捕球用具は、第１の受球面と第２の受球面を有し、第１の受球面と第２の受球面の間には空気層となる隙間を形成することを特徴とする。【０００８】  請求項３に記載の本発明は、第１の受球面の表面積は、第２の受球面の表面積と同等または小さく形成することを特徴とする。
【発明の効果】
【０００９】  請求項１に記載の本発明の捕球用具は、受球面を垂直方向に複数層形成することで、受球面と受球面の間にそれぞれ隙間を形成することができる。受球面を複数形成し、隙間を作ることで空気層が形成され、ボールを捕球した際に空気層に急激な圧力変化が起こり、通常の捕球用具を使用した時よりも、「パーン」と快音を発生させることができる。音は、空気の振動により発生するものであるから、隙間の中の空気に振動を起こさせることで、ボールを捕球した際の音を快く発生させることができるという優れた効果を発揮する。また、隙間の形状を波状にしたり、皮の硬度を変える、素材を変える、湿度を変えるなどすることで、空気の振動を遅くしたり早くしたりすることができ、高音の捕球音、低音の捕球音を作り出すことができるという優れた効果を発揮する。【００１０】  請求項２に記載の本発明の捕球用具は、第１の受球面と第２の受球面の２つを形成し、隙間を大きく作ることでボールを捕球した際に第１の受球面がボールの衝撃と圧力により第２の受球面側に大きく押し込まれ、第２の受球面の外縁が自然に閉まるという優れた効果を発揮する。受球面が自然に閉まることで、イレギュラーなどでタイミングが合わず一旦受球面に球が入ったにも関わらず落球するというアクシデントを減らすことができる。【００１１】  請求項３に記載の本発明の捕球用具は、第１の受球面の表面積は第２の受球面の表面積と同等または小さくすることができる。第１の受球面の表面積が第２の受球面の表面積より小さい場合は、捕球時の圧力が強くなり押す力が強くなる。この強い押す力は、隙間があることでさらに第２の受球面側へ押され、それに伴い第２の受球面の外縁が内側へ強く引っ張られ捕球用具が閉まりやすくなる。捕球用具が閉まりやすくなることで、ボールを捕球した際に落球というミスを最小限にとどめることができるという優れた効果を発揮する。
【図面の簡単な説明】
【００１２】
【図１】  本発明の捕球用具の正面図である。
【図２】  本発明の捕球用具の背面図である。
【図３】  本発明の捕球用具の斜視断面図である。
【図４】  本発明の捕球用具に手を入れたときの断面図である。
【図５】  本初の捕球用具の第２の実施例の正面図である。
【発明を実施するための形態】
【００１３】  以下、本発明の捕球用具の実施形態図１〜図５に基づき説明をする。ただし、以下の実施するための形態は、本発明の捕球用具の一例として説明するものであり、この説明の図の項に限定されるものではない。
【００１４】  図１は、本発明の捕球用具の正面図である。捕球用具１、第１の受球面２、第２の受球面３から構成される。第１の受球面２は第２の受球面３と同等または小さく形成される。受球面を複数形成するのは、ボールを捕球する際の衝撃と圧力を利用して、押す力と引っ張る力を大きく作り出すためである。第１の受球面２にボールの圧力が加わることで、押す力を生み出し、押す力により第２の受球面３の外縁が強く内側に引っ張られ、自然に捕球用具１の第２の受球面３が閉まるようになる。
【００１５】  図２は、本発明の捕球用具１の背面図である。ウェブ４から構成される。ウェブは通常、軽量化、機能性を図るために網目などに作られているが、本発明はボールを補給した際に網目にボールが引っ掛かりボールが抜けなくなるなどのトラブルを防止するために、ウェブの部分には網目を作らないようにした。これにより、補給から投球の瞬時の動きがスムーズになり素早く投球ができるようになる。しかし、第１の受球面２が第２の受球面３より小さくなる場合はこの限りではない。
【００１６】  図３は、本発明の捕球用具の斜視断面図である。第１の受球面２、第２の受球面３、隙間５から構成される。押す力と引っ張る力を大きく作り出すため、第１の受球面２と第２の受球面３の間に隙間５を形成する。第２の受球面３は軽量且つ柔軟な素材で形成し、第１の受球面２が捕球時のボールの衝撃と圧力により第２の受球面３側に押された際に、柔軟に外縁が内側に引っ張られるように形成することが肝要である。そのためには、第１の受球面２と第２の受球面３のそれぞれの張力を変えて形成することも可能である。また、隙間５の大きさの度合いによって閉まる度合も異なるため、ポジションやプレースタイルによって隙間５の大きさは適宜変更できる。また、隙間５は、クッションの役目を果たすことができ、受球時の掌の痛みやしびれを防止することもできる。
【００１７】  図４は、本発明の捕球用具１に手を入れたときの断面図である。第１の受球面２、第２の受球面３、隙間５から構成される。隙間５は、押す力、引っ張る力を生み出すことと、補給時の衝撃を和らげるクッションの役目を果たすことと、さらには補球時の音を響かせるという役割を持っている。音は、空気が振動することにより発生するものであるから、隙間５は大きく形成し空気室様の役割を果たすようにする。捕球時の衝撃と圧力により空気に振動を起こさせることで、本発明の捕球用具１で捕球した際には快音を発生させることができる。日本では、ピッチャーが投げた球をいい音で捕球してくれるキャッチャーが好まれると言われている。また、ピッチャーは投げた球の捕球音によって、自分の状態を知ることができ、いい音が出た時には集中力が向上するとも言われている。捕球時の捕球音は、野球、ソフトボールのパフォーマンスを上げる上で非常に重要な要素となっている。
【００１８】  図５は、本発明の捕球用具１の第２の実施例である。本発明の捕球用具１、第１の受球面２′、第２の受球面３から構成される。第１の受球面２′は、第２の受球面３より小さく形成する。第１の受球面２′の指袋側の外縁は、ボールを円滑に捕球できるように各指の第２関節程度の位置に設定することが望ましい。
【産業上の利用可能性】
【００２０】  野球、ソフトボールの捕球用具において、ピッチャーの集中力を高め、また捕球の際に落球のミスを軽減する捕球用具を提供する。
【符号の説明】
【００２１】１    捕球用具
２    第１の受球面
２′  第１の受球面の第２の実施例
３    第２の受球面
４    ウェブ
５    隙間
【図１】
2017140346.tif 000003
【図２】
2017140346.tif 000004
【図３】
2017140346.tif 000005
【図４】
2017140346.tif 000006
【図５】
2017140346.tif 000007